(57)【要約】      （修正有）【課題】ボード間コネクタアセンブリの提供。【解決手段】本考案のボード間コネクタアセンブリ１は電気信号接点５０,６０を具えた二つの板体５,６に組付けられ、ソケットコネクタ２及び該ソケットコネクタ内に収容され位置合わせと案内作用を有する係合シート３を具え、該ソケットコネクタの絶縁ケース２０に嵌合溝が設けられて該係合シートを収納可能で、該係合シートが電気信号接点を具えた板体を案内してソケットコネクタと接続させ、並びに該ソケットコネクタの導電端子２１と回路上の接点を接触させ、接続組合せ後の全体高度を減らし、軽量化、薄型化、コンパクト化の発展傾向に適合させ、電気信号接続を確実とし且つ伝送を安定させる効果を達成する。【選択図】図１
0003108050.tif 000002
【実用新案登録請求の範囲】
【請求項１】
電気信号接点を具えた二つの板体に組付けられ、ソケットコネクタ及び該ソケットコネクタ内に収容され位置合わせと案内作用を有する係合シートを具え、
該ソケットコネクタは絶縁ケースと複数の導電端子を具え、該絶縁ケースは扁平体とされ、接続面とソルダー面を具え、該接続面の相対する両側に複数の端子収容溝と嵌合溝が設けられ、該複数の導電端子は対応する該端子収容溝内に収容されて接触部、ソルダー部及び該接触部とソルダー部を接続する接続部を具え、該接触部が接続面より僅かに突出して接続物と垂直に接触して電気信号を接続し、
該係合シートは絶縁ケースに接続され並びに嵌合溝内に収容され、該係合シートは位置決め部を具え、該係合シートが絶縁ケースの嵌合溝に収容されることで、係合シートに組付けられた板体とソケットコネクタの接続を案内でき、並びにソケットコネクタの導電端子を正確に強固に板体上の接点と接触させられることを特徴とする、ボード間コネクタアセンブリ。
【請求項２】
請求項１記載のボード間コネクタアセンブリにおいて、絶縁ケースが長方形体とされ、二つの長軸辺と二つの短軸辺を具えたことを特徴とする、ボード間コネクタアセンブリ。
【請求項３】
請求項２記載のボード間コネクタアセンブリにおいて、嵌合溝が、横向きに絶縁ケースの長軸辺を貫通する中央部と、該中央部の両端に位置する側辺部とを具えたことを特徴とする、ボード間コネクタアセンブリ。
【請求項４】
請求項３記載のボード間コネクタアセンブリにおいて、係合シートが嵌合溝に対応する構造とされ、嵌合溝の中央部に対応する長棒と、該長棒の両端に位置して嵌合溝の側辺部に対応し嵌合される短棒を具えたことを特徴とする、ボード間コネクタアセンブリ。
【請求項５】
請求項４記載のボード間コネクタアセンブリにおいて、係合シートの位置決め部が二つの短棒の中央に設置された柱状体とされたことを特徴とする、ボード間コネクタアセンブリ。
【請求項６】
請求項５記載のボード間コネクタアセンブリにおいて、各端子収容溝が絶縁ケースの接続面より長軸辺に沿ってソルダー面まで延伸されたことを特徴とする、ボード間コネクタアセンブリ。
【請求項７】
請求項６記載のボード間コネクタアセンブリにおいて、導電端子が嵌合部を具え、この嵌合部は接続部とソルダー部の間に設けられ、該嵌合部は逆Ｕ形に形成され、端子収容溝のある長軸辺上に横向きに跨設されることを特徴とする、ボード間コネクタアセンブリ。
【請求項８】
請求項７記載のボード間コネクタアセンブリにおいて、導電端子の接続部がティルト角を具え、接触部に良好な回復弾性を提供することを特徴とする、ボード間コネクタアセンブリ。
【請求項９】
請求項８記載のボード間コネクタアセンブリにおいて、接触部が嵌合部に向けて傾斜するよう折り曲げられて延伸され、端部に凸円弧が設けられ、電気信号の接触に供されることを特徴とする、ボード間コネクタアセンブリ。
【請求項１０】
請求項５記載のボード間コネクタアセンブリにおいて、係合シートの長棒の接続側が円弧面に形成されて接続時の挿入に便利とされたことを特徴とする、ボード間コネクタアセンブリ。
【請求項１１】
請求項１記載のボード間コネクタアセンブリにおいて、電気信号接点を具えた二つの板体の一方が、係合シートと固定される回路板とされ、もう一方がソケットコネクタとの連通に用いられるフレキシブル基板とされたことを特徴とする、ボード間コネクタアセンブリ。
【考案の詳細な説明】
【技術分野】
【０００１】
本考案は一種のボード間コネクタアセンブリに係り、特に、回路板とフレキシブル回路板の間の電気信号接続に用いられ、低い構造形態の接続形態を提供でき且つ電気信号伝送を確実に行なえるボード間コネクタアセンブリに関する。
【背景技術】
【０００２】
周知のとおり、コネクタの種類は非常に多く、そのうち、電気信号の回路板間、或いは回路板とフレキシブル回路板間の接続に用いられるコネクタアセンブリは、相互に接続され一体とされるプラグコネクタとソケットコネクタを具え、関係する構造としては例えば、特許文献１〜７に記載の構造がある。ただしこれら周知のボード間コネクタアセンブリには以下のような共通の欠点がある。
一．周知の技術の電気信号の連通は、プラグコネクタとソケットコネクタの導電端子の相互接触により達成され、このため、プラグコネクタとソケットコネクタの導電端子の一端は必ず回路板／フレキシブル回路板に半田付けされなければ、もう一端の接触により電気信号の接続を行なうことができず、このため、プラグコネクタとソケットコネクタの半田付けの一端に形成される高さが接続後の高さを下げることができない原因の一つとなる。即ち、プラグコネクタとソケットコネクタの接続後の高さが二つのコネクタの高さを相加したものとなる。
二．周知のボード間コネクタアセンブリの導電端子相互の関係は、水平側方向接触により電気信号連通の効果を達成し、更に、二つのコネクタの接続時の挿入方向と導電端子相互間の接触方向は一致し、これにより、導電端子の側方向接触効果が良好でなければ接触不良現象が形成される。このほか、側方向接触の方式は導電端子間の摩損を形成しやすく、特に導電端子の接触以下が一体に形成されたものではその問題が大きい。
【０００３】
【特許文献１】米国特許第５２２４８６６号明細書
【特許文献２】米国特許第５６３９２４８号明細書
【特許文献３】米国特許第５８００１８６号明細書
【特許文献４】米国特許第６０３６５０４号明細書
【特許文献５】米国特許第６０３６５４９号明細書
【特許文献６】米国特許第６２９６５２４号明細書
【特許文献７】米国特許第６７２９８９０号明細書
【考案の開示】
【考案が解決しようとする課題】
【０００４】
本考案は、接続組合せ後の高さを減らせ、軽量化、薄型化、コンパクト化の発展傾向に符合し、且つ電気信号接続を確実に行なえ且つ安定した伝送が行なえる一種のボード間コネクタアセンブリを提供することを目的としている。
【課題を解決するための手段】
【０００５】
請求項１の考案は、電気信号接点を具えた二つの板体に組付けられ、ソケットコネクタ及び該ソケットコネクタ内に収容され位置合わせと案内作用を有する係合シートを具え、  該ソケットコネクタは絶縁ケースと複数の導電端子を具え、該絶縁ケースは扁平体とされ、接続面とソルダー面を具え、該接続面の相対する両側に複数の端子収容溝と嵌合溝が設けられ、該複数の導電端子は対応する該端子収容溝内に収容されて接触部、ソルダー部及び該接触部とソルダー部を接続する接続部を具え、該接触部が接続面より僅かに突出して接続物と垂直に接触して電気信号を接続し、
該係合シートは絶縁ケースに接続され並びに嵌合溝内に収容され、該係合シートは位置決め部を具え、該係合シートが絶縁ケースの嵌合溝に収容されることで、係合シートに組付けられた板体とソケットコネクタの接続を案内でき、並びにソケットコネクタの導電端子を正確に強固に板体上の接点と接触させられることを特徴とする、ボード間コネクタアセンブリとしている。
請求項２の考案は、請求項１記載のボード間コネクタアセンブリにおいて、絶縁ケースが長方形体とされ、二つの長軸辺と二つの短軸辺を具えたことを特徴とする、ボード間コネクタアセンブリとしている。
請求項３の考案は、請求項２記載のボード間コネクタアセンブリにおいて、嵌合溝が、横向きに絶縁ケースの長軸辺を貫通する中央部と、該中央部の両端に位置する側辺部とを具えたことを特徴とする、ボード間コネクタアセンブリとしている。
請求項４の考案は、請求項３記載のボード間コネクタアセンブリにおいて、係合シートが嵌合溝に対応する構造とされ、嵌合溝の中央部に対応する長棒と、該長棒の両端に位置して嵌合溝の側辺部に対応し嵌合される短棒を具えたことを特徴とする、ボード間コネクタアセンブリとしている。
請求項５の考案は、請求項４記載のボード間コネクタアセンブリにおいて、係合シートの位置決め部が二つの短棒の中央に設置された柱状体とされたことを特徴とする、ボード間コネクタアセンブリとしている。
請求項６の考案は、請求項５記載のボード間コネクタアセンブリにおいて、各端子収容溝が絶縁ケースの接続面より長軸辺に沿ってソルダー面まで延伸されたことを特徴とする、ボード間コネクタアセンブリとしている。
請求項７の考案は、請求項６記載のボード間コネクタアセンブリにおいて、導電端子が嵌合部を具え、この嵌合部は接続部とソルダー部の間に設けられ、該嵌合部は逆Ｕ形に形成され、端子収容溝のある長軸辺上に横向きに跨設されることを特徴とする、ボード間コネクタアセンブリとしている。
請求項８の考案は、請求項７記載のボード間コネクタアセンブリにおいて、導電端子の接続部がティルト角を具え、接触部に良好な回復弾性を提供することを特徴とする、ボード間コネクタアセンブリとしている。
請求項９の考案は、請求項８記載のボード間コネクタアセンブリにおいて、接触部が嵌合部に向けて傾斜するよう折り曲げられて延伸され、端部に凸円弧が設けられ、電気信号の接触に供されることを特徴とする、ボード間コネクタアセンブリとしている。
請求項１０の考案は、請求項５記載のボード間コネクタアセンブリにおいて、係合シートの長棒の接続側が円弧面に形成されて接続時の挿入に便利とされたことを特徴とする、ボード間コネクタアセンブリとしている。
請求項１１の考案は、請求項１記載のボード間コネクタアセンブリにおいて、電気信号接点を具えた二つの板体の一方が、係合シートと固定される回路板とされ、もう一方がソケットコネクタとの連通に用いられるフレキシブル基板とされたことを特徴とする、ボード間コネクタアセンブリとしている。
【考案の効果】
【０００６】
本考案のボード間コネクタアセンブリは、接続組合せ後の高さを減らせ、軽量化、薄型化、コンパクト化の発展傾向に符合し、且つ電気信号接続を確実に行なえ且つ安定した伝送が行なえる。
【考案を実施するための最良の形態】
【０００７】
本考案のボード間コネクタアセンブリは電気信号接点を具えた二つの板体に組付けられ、ソケットコネクタ及び該ソケットコネクタ内に収容され位置合わせと案内作用を有する係合シートを具え、該ソケットコネクタはフレキシブル回路板に接続され、嵌合溝を具え、該嵌合溝は該係合シートを収容するのに用いられ、該係合シートは回路板に組付けられ、回路板を案内して該ソケットコネクタに接続し、並びに該ソケットコネクタの導電端子と回路板の接点を接触させることができる。
【０００８】
また本考案のボード間コネクタアセンブリは、該ソケットコネクタの導電端子が、接触部、ソルダー部及び接続部を具え、該接触部が垂直式に回路板の接点と接触し、ソルダー部がフレキシブル回路板の接点と連通可能である。
【実施例１】
【０００９】
図１から３に示されるように、本考案のボード間コネクタアセンブリ１は、電気信号接点５０、６０を具えた回路板５とフレキシブル回路板６を接続するのに用いられ、ソケットコネクタ２と係合シート３を具え、該ソケットコネクタ２はフレキシブル回路板６と連通し、係合シート３は回路板５に組付けられている。
【００１０】
該ソケットコネクタ２は、絶縁ケース２０、導電端子２１を具え、そのうち、該絶縁ケース２０は長方形扁平体とされ、二つの長軸辺と二つの短軸辺を具え、接続面２０１とソルダー面２０２を具え、且つ接続面２０１の長軸辺の両側の側端に複数の端子収容溝２０３が設けられ、各端子収容溝２０３は絶縁ケース２０の接続面２０１より長軸辺に沿ってソルダー面２０２に至る。また、両側の端子収容溝２０３の間に嵌合溝が設けられて該係合シート３を収容し、該嵌合溝は、絶縁ケース２０の長軸辺を貫通する中央部２０４と、該中央部の両端に位置する側辺部２０５、２０６を具えている。
【００１１】
複数の導電端子２１は、図４に示されるように、これら端子収容溝２０３内に収容され、該導電端子２１は、接触部２１１、ソルダー部２１２、嵌合部２１３及び接続部２１４を具え、そのうち該接続部２１４は接触部２１１と嵌合部２１３を接続し、且つティルト角を具え、接触部に良好な回復弾性を与える。該嵌合部２１３は逆Ｕ形に形成されて端子収容溝２０３がある長軸辺に対して横向きに跨設される。該接触部２１１は嵌合部２１３に向けて傾斜するよう折り曲げられて延伸され、端部に凸円弧２１５を具え、組合せ後に接続面２０１よりやや露出して垂直式電気信号接触を行なえる。
【００１２】
該係合シート３は、嵌合溝と同じ形態とされ、長棒３０と二つの短棒３１、３２を具え、そのうち、該長棒３０は嵌合溝お中央部２０４に対応し、該長棒３０の接続面２０１に位置する一側に円弧面が形成され接続時の挿入に便利とされる。二つの短棒３１、３２は長棒３０の両端に位置し、それは該嵌合溝の側辺部２０５、２０６に対応し嵌合される。また、該係合シートに位置決め部が設けられ、該位置決め部は二つの短棒３１、３２の中央に設置された柱状体３３とされ、回路板５の保留された組付け孔に組付けられる。
【００１３】
図１と図４を併せて参照されたい。本考案はソケットコネクタ２の絶縁ケース２０に組付けられた導電端子２１がフレキシブル回路板６の接点６０に半田付けされ、係合シート３の柱状体３３が基板５に保留された組付け孔（図示せず）に組み合わされることで、該係合シート３とソケットコネクタ２の組合せが該嵌合溝２０４内に収容され（図４）、並びに正確に回路板５とソケットコネクタ２の接続を案内し、これにより、接続後の全体高さがソケットコネクタ２の高さとされ、周知の技術では接続後の高さがソケットコネクタとプラグコネクタの高さの相加となるのに較べ、接続後の高さが減らされている。且つ本考案は接続後に、該ソケットコネクタ２の導電端子２１の接触部２１１の凸円弧２１５が垂直式に回路板５の接点５０と接触し、即ち二つの相互に接触する端子が相互に垂直な状態を呈し、これにより電気信号の確実な接触を達成し、安定した電気信号伝送効果を提供できる。
【００１４】
総合すると、本考案のボード間コネクタアセンブリは確実に本考案の目的を達成し、実用新案登録の要件に符合する。なお、以上の実施例は本考案の範囲を限定するものではなく、本考案に基づきなしうる細部の修飾或いは改変は、いずれも本考案の請求範囲に属するものとする。
【図面の簡単な説明】
【００１５】
【図１】本考案のボード間コネクタアセンブリの立体分解図である。
【図２】図１の正面図である。
【図３】図１の側面図である。
【図４】本考案のボード間コネクタアセンブリの接続時の表示図である。
【符号の説明】
【００１６】
１  ボード間コネクタアセンブリ                  ２  ソケットコネクタ
３  係合シート                                  ５  回路板
６  フレキシブル回路板                          ２０  絶縁ケース
２１  導電端子                                  ２０１  接続面
２０２  ソルダー面                              ２０３  端子収容溝
２０４  中央部                                  ２０５、２０６  側辺部
２１１  接触部                                  ２１２  ソルダー部
２１３  嵌合部                                  ２１４  接続部
２１５  凸円弧                                  ３０  長棒
３１、３２  短棒                                ３３  柱状体
５０、６０  接点
【図１】
0003108050.tif 000003
【図２】
0003108050.tif 000004
【図３】
0003108050.tif 000005
【図４】
0003108050.tif 000006